(57)【要約】【課題】  飲料を保持するための壁が一重の紙容器を提供すること。【解決手段】  容器は１つの層の厚紙からなる側壁部を有する。容器は、また、それにより液体用容器が形成されるように、側壁部に取り付けられている底壁部を有する。底壁部および側壁部の両方は外面および内面を有する。容器はまた、複数の非断熱性刻印パターンを含む。刻印パターンは側壁部と一体に形成されていて、側壁部の内面および外面上で見ることができる。刻印パターンは、容器の側壁部上に凹凸のある握り面を形成するのに十分な深さを有する。【選択図】      図１
2006044799.tif 000002
【特許請求の範囲】
【請求項１】
飲料を保持するための壁が一重の紙容器であって、
外面と内面とを有し、１つの層の厚紙を有する側壁部と、
外面と内面とを有し、液体用容器を形成するために前記側壁部に取り付けられている底壁部と、
前記側壁部と一体に形成されていて、前記側壁部の内面および外面上で見ることができる複数の非断熱性刻印パターンを含み、
前記刻印パターンが前記容器の前記側壁部上に凹凸のある握り面を形成する十分な深さを有する壁が一重の紙容器。
【請求項２】
前記刻印パターンが、前記容器の前記側壁部から外側に隆起する複数のデボス面を形成している請求項１に記載の紙容器。
【請求項３】
前記デボス面が、前記厚紙の摩擦係数より大きい摩擦係数を有する、それに接着している織り目加工された基材を含む請求項２に記載の紙容器。
【請求項４】
前記デボス面に接着している前記織り目加工された基材が熱可塑性エラストマーである請求項３に記載の紙容器。
【請求項５】
前記刻印パターンが、前記容器の前記側壁部内に内側に向かって突き出ている複数のエンボス面を形成する請求項１に記載の紙容器。
【請求項６】
前記側壁部の前記内面がポリエチレンでコーティングされる請求項１に記載の紙容器。
【請求項７】
底壁部の前記内面がポリエチレンでコーティングされる請求項１に記載の紙容器。
【請求項８】
前記厚紙が５０〜４００ポンド／連の基礎重量を有する請求項１に記載の紙容器。
【請求項９】
前記刻印パターンの前記深さが０．００５ｃｍ〜０．１２７ｃｍ（０．００２インチ〜０．０５０インチ）の範囲内である請求項１に記載の紙容器。
【請求項１０】
前記厚紙が再生厚紙製紙原料からなる請求項１に記載の紙容器。
【請求項１１】
前記刻印パターンが複数の反復マークを有する請求項１に記載の紙容器。
【請求項１２】
前記刻印パターンが、複数のエンボスおよびデボス面を形成し、前記エンボス面が前記容器の前記側壁部内に内側に突き出ていて、前記デボス面が前記容器の前記側壁部から外側に突き出ている請求項１に記載の紙容器。
【請求項１３】
前記側壁部の前記外面および内面のうちの少なくとも一方が、ポリエチレンによりコーティングされる請求項１に記載の紙容器。
【請求項１４】
飲料を保持するための壁が一重の紙容器であって、
外面と内面とを有し、１つの層の厚紙を有する側壁部と、
外面と内面とを有し、液体用容器を形成するために前記側壁部に取り付けられている底壁部と、
前記側壁部と一体に形成されていて、前記側壁部の前記内面および外面上で見ることができる複数の非断熱性刻印パターンを含み、
前記刻印パターンが、前記容器の前記側壁部上に凹凸のある握り面を形成する十分な深さを有し、前記複数の各刻印パターンが、前記側壁部の隣接するエンボスを行っていない部分とほぼ同じ断熱値を有する壁が一重の紙容器。
【請求項１５】
前記刻印パターンが、前記容器の前記側壁部から外側に隆起している複数のデボス面を形成している請求項１４に記載の紙容器。
【請求項１６】
前記デボス面が、前記厚紙の摩擦係数より大きい摩擦係数を有する、それに接着している織り目加工された基材を含む請求項１５に記載の紙容器。
【請求項１７】
前記デボス面に接着している前記織り目加工された基材が熱可塑性エラストマーである請求項１６に記載の紙容器。
【請求項１８】
前記刻印パターンが、前記容器の前記側壁部内に内側に向かって突き出ている複数のエンボス面を形成する請求項１４に記載の紙容器。
【請求項１９】
前記刻印パターンが、複数のエンボスおよびデボス面を形成し、前記エンボス面が前記容器の前記側壁部内に内側に突き出ていて、前記デボス面が、前記容器の前記側壁部から外側に突き出ている請求項１４に記載の紙容器。
【請求項２０】
前記側壁部の前記外面および内面のうちの少なくとも一方が、ポリエチレンでコーティングされる請求項１４に記載の紙容器。
【請求項２１】
前記底壁部の前記外面および内面のうちの少なくとも一方が、ポリエチレンでコーティングされる請求項１４に記載の紙容器。
【請求項２２】
前記厚紙が、５０〜４００ポンド／連の基礎重量を有する請求項１４に記載の紙容器。
【請求項２３】
前記刻印パターンの前記深さが、０．００５ｃｍ〜０．１２７ｃｍ（０．００２インチ〜０．０５０インチ）の範囲内である請求項１４に記載の紙容器。
【請求項２４】
前記厚紙が、再生厚紙製紙原料および新厚紙製紙原料のうちの一方からなる請求項１４に記載の紙容器。
【請求項２５】
前記刻印パターンが複数の反復マークを有する請求項１４に記載の紙容器。
【発明の詳細な説明】
【技術分野】
【０００１】
（関連出願への相互参照）  なし
【０００２】
（連邦支援研究または開発）  なし
【０００３】
本発明は、壁が一重の紙容器に関し、特に握り勝手が改善された一体形成のエンボス加工またはデボス加工をした側壁部を含む一重壁の紙カップに関する。
【背景技術】
【０００４】
ホット飲料やコールド飲料等に使用する一重壁の紙容器は、商業向けや消費者向けにますます大量に使用されている。紙をベースとする容器に対する需要が増大した１つの理由は、プラスチックまたはポリスチレンのビーズ発泡カップよりもマーケティングや広告のための印刷をより詳細に行うことができるからである。さらに、紙をベースとする容器は、微生物により容易に無害な物質に分解することができ、そのため、例えば、ポリスチレン・ビーズ発泡容器よりも環境に優しい。
【０００５】
このように需要および使用が増大しているという観点から、飲料および容器産業は、引き続き製品をコストパフォーマンスの良い状態に維持しながら紙容器を改善する種々の方法を探求している。改善することができる分野としては、安全性、コスト、設計、および製造法等がある。これらの分野は、多くの場合相互に関係しているが、また多くの場合、相互に無関係でもある。例えば、多くの場合、容器の他の特性よりも材料コストおよび製造コストが優先する。
【０００６】
しかし、改善がますます求められている１つの分野は、紙容器、特に紙カップに関連する人間工学の分野である。このことは、特に「持ち帰り」飲料の人気の上昇という観点から言えることである。至る所で、非常に多くの人々が、ソーダ、水、コーヒー、お茶および他の飲料が入っているカップを片方の手または両方の手に持ちながら、歩いたり、走ったり、ドライブしたり、通勤したり、働いたりしている。従来の壁が一重の紙容器に関連する人間工学上の問題の１つは、握り勝手が悪いことである。ポリスチレン・ビーズ発泡容器の外側の手触りとは異なり、壁が一重の紙容器の側壁部は通常つるつるしている。それ故、紙カップはユーザが手にしている間に、ますます滑りやすくなっている。このような滑り易さのために、ユーザは究極的には容器を落としたり、その中身をこぼしたりすることになる。それ故、容器が滑ったりまたは中身がこぼれるのを防止するために、これらのカップの握り勝手をよくする必要がある。
【０００７】
この問題を解決する１つの方法として、外装の形または二重壁の紙の製紙原料の形で、容器の側壁部に取り付けた厚紙の第２の層上に隆起した面を形成する方法がある。Ｓｔｏｐｋａｙの米国特許第５，８２０，０１６号には、断熱体が外装の外面上または側壁部の外面上に形成される技術の一例が開示されている。この方法は、ホット飲料の容器の断熱を与えるにはある程度は成功かもしれないが、外装を取り付ける技術は非常に高価になり、断熱を必要としない飲料に使用した場合は無駄になることがある。１枚の厚紙から容器の側壁を形成する代わりに、第２の厚紙または壁が二重の厚紙が必要になる。もちろん、このことは、紙をベースとするカップのいくつかの目的のうちの１つ、すなわち不必要な環境廃棄物を少なくするという目的に本質的にそぐわない。さらに、厚紙の第２の層または壁が二重の厚紙を使用すると、材料全体の量が増え、製品に関連する製造コストが増大する。
【特許文献１】米国特許第５，８２０，０１６号
【発明の開示】
【発明が解決しようとする課題】
【０００８】
それ故、製品の製造に関連する材料全体のコストを増大しないで、握り勝手が改善された一重壁の紙容器の提供が待望されている。本発明は、上記および他の問題を解決し、このタイプの従来の紙の容器が持っていなかったいくつかの利点および態様を提供するためのものである。本発明の特徴および利点については、以下の詳細な説明のところで詳しく説明するが、その説明は添付の図面を参照しながら行うことにする。
【課題を解決するための手段】
【０００９】
本発明は、ホット飲料またはコールド飲料を保持するための壁が一重の紙容器を提供する。この容器は、厚紙の１つの層からなる側壁部を有する。この容器は、またそれにより液体用容器が形成されるように側壁部に取り付けられている底壁部も有する。底壁部および側壁部の両方は、外面および内面を有する。容器は、また複数の非断熱性刻印パターンも含む。刻印パターンは、側壁部内に一体に形成され（エンボス、デボスまたはこれらの組合わせにより）、側壁部の内面および外面上で見ることができる。さらに、刻印パターンは、容器の側壁部上に凹凸のある握り面を形成するのに十分な深さを有する。
【００１０】
本発明の他の態様によれば、上記複数の各刻印パターンは、側壁部の隣接するエンボスになっていない部分とほぼ同じ断熱値を有する。
【００１１】
本発明のさらに他の態様によれば、刻印パターンは、それに接着している織り目加工された基材を有する複数のデボス面を形成する。
【発明を実施するための最良の形態】
【００１２】
下記の図面を参照しながら以下の説明を読めば、本発明の他の特徴および利点を理解することができるだろう。
【００１３】
本発明を理解してもらうために、添付の図面を参照しながら本発明について以下に説明するが、これは単に例示としてのものに過ぎない。
【００１４】
本発明は多くの異なる形態で実施することができるが、本発明の好ましい実施形態を図面に示し、以下に詳細に説明するが、この開示は、本発明の原理の一例であると見なすべきで、本発明の広範な態様を図の実施形態に限定するものではないという理解を前提にしたものである。例えば、ソーダ、水、ジュース、コーヒー、お茶等のようなホットまたはコールド液体飲料を含んでいる厚紙のカップだけ説明し、図示するが、ホットまたはコールド液体を保持するために使用する多くの異なるタイプの厚紙の容器の形にすることもできることを理解されたい。
【００１５】
図１〜図１０について詳細に説明すると、これらすべての図面は、側壁部１２、底壁部１４および外部に向かって曲がっているリム１６を有する中空本体を備える液体が漏れない容器１０を示す。側壁部１２および底壁部１４は、結合して液体用容器を形成する。図１〜図１０に示すように、容器１０は、好適には、ほぼ円錐台の形をしているカップであることが好ましい。しかし、飲料容器１０は、本発明から逸脱することなしに、任意の幾何学的形状をとることができる。
【００１６】
本発明によれば、容器１０の側壁部１２は、１つの層の厚紙からなる。底壁部１４および側壁部１２の両方は、外面および内面を有する。本発明の一実施形態によれば、容器１０の側壁部１２を形成している１つの層の厚紙は、１７５ポンド／連の厚紙からできている。厚紙は、容器１０の所与の用途に適している任意の重量のものを使用することができるが、好適には、厚紙は５０〜４００ポンド／連の基礎重量を有するものであることが好ましい。本発明の一実施形態によれば、容器１０は、好適には、Ｍｅａｄ  Ｗｅｓｔｖａｃｏ社のカップ用製紙原料でできていることが好ましい。しかし、容器１０は、容器１０が使用される用途に適している任意の等級の厚紙から作ることができる。また、厚紙カップ用製紙原料は、再生または新厚紙用製紙原料で作ることもできる。
【００１７】
本発明の一実施形態によれば、厚紙は、片面がポリエチレンでコーティングされた紙用製紙原料である。ポリエチレンでコーティングすると、通常、容器１０内に保持されている液体が側壁部１２を通して漏洩するのを最小限度に低減するバリヤができる。本発明の他の実施形態では、通常、コールド飲料容器用途の場合、両面がポリエチレンでコーティングされた紙用製紙原料が使用される。この実施形態の場合には、ポリエチレン・コーティングは、また、容器１０の側壁部１２上に凝結が形成するのを遅らせるのを助ける。本発明の場合には、また、漏洩および／または凝縮の形成を防止するために、容器１０の底壁部１４の片面および両面もポリエチレンでコーティングすることができる。もちろん、本発明の範囲から逸脱することなしに、消費者の飲料容器用に適しているポリエチレン以外のコーティングも、側壁部１２および／または底壁部１４上で使用することができる。例えば、コーティングを、ポリプロピレン、ポリエステル・テレフタレート、これらのポリマーの混合物、または水をベースとするアクリル乳液のような印刷プレスまたは抄紙機（ｐａｐｅｒ  ｍａｃｈｉｎｅ）によるコーティングの厚紙上に押し出すことができる任意のタイプのポリマーで行うことができる。また、本発明は、コーティングしていない厚紙または他の適当な紙用製紙原料を使用することもできる。例えば、表面コーティングを必要としない予めしみ込ませた紙用製紙原料を本発明から逸脱することなしに使用することもできる。
【００１８】
図１〜図１０を見れば分かるように、容器１０は、また、側壁部１２の内面および外面上で見ることができる複数の非断熱性の刻印パターン１８を含む。本発明によれば、刻印パターン１８は、容器の側壁部１２内に一体に形成され、容器１０の側壁部１２上に凹凸のある握り面を形成するのに十分な深さを有する。刻印パターン１８は、容器１０の側壁部１２から外側に隆起している複数のデボス面であってもよい。別の方法としては、刻印パターン１８は、容器１０の側壁部１２から内側に突き出している複数のエンボス面であってもよい。どちらの場合も、刻印パターン１８は、容器１０の側壁部１２の地形学的面を変える織り目（ｔｅｘｔｕｒｅ）を形成する。好適には、エンボスまたはデボス・パターンを２．５４ｃｍ（１インチ）の２／１０００から２．５４ｃｍ（１インチ）の５０／１０００（０．００５０８ｃｍ〜０．１２７ｃｍ（０．００２〜０．０５０インチ））の範囲の深さに刻印することが好ましい。しかし、エンボスまたはデボスの深さは、従来の滑らかな側壁部を有する紙容器と比べて、本発明の容器１０の握り勝手を改善する織り目加工された表面を形成するのに適している任意の深さにすることができる。
【００１９】
図１〜図１０を見れば分かるように、異なるパターンのエンボスまたはデボスを使用することができる。例えば、図１および図１０は、複数の英数字識別マークからなるエンボス・パターン１８の一例を示す。図１の場合には、識別マーク１８は、垂直方向の反復パターンで配置されている。図１０を見れば分かるように、エンボス・マーク１８は、また、凹凸のある面を形成する単一レベルの織り目として配置することもできる。別の方法としては、図８および図９に示すように、刻印パターン１８は、容器１０の側壁部１２上の外側に向けて隆起している複数のデボス・マーク１８であってもよい。刻印パターン１８は、識別マーク以外のパターンを含むこともできる。例えば、エンボスまたはデボス・パターン１８は、図３〜図６に示すデザインであってもよいし、または滑らかな側壁部を有する紙容器と比較した場合、握り勝手を改善するのに適している任意の他のパターンであってもよい。例えば、パターンは、種々のスポーツ・チーム、大学、開催地、会社等のロゴであってもよい。
【００２０】
刻印面が複数のデボス面により形成されている本発明の一実施形態の場合には、側壁部１２の少なくともデボス領域は、織り目加工された基材でコーティングされる。好適には、基材は、熱可塑性エラストマー（ＴＰＥ）であることが好ましい。しかし、基材は、側壁部１２の厚紙のコーティングしていない面より摩擦係数が大きい任意の基材であってもよい。
【００２１】
特定の実施形態について図示し、説明してきたが、本発明の精神から逸脱することなしに多くの修正を思い付くだろう。本発明の範囲は添付の特許請求の範囲によってだけ制限される。
【図面の簡単な説明】
【００２２】
【図１】本発明による紙容器の斜視図である。
【図２】図１の２−２線に沿って切断した紙容器の断面図である。
【図３】本発明による紙容器のもう１つの実施形態の斜視図である。
【図４】図３の４−４線に沿って切断した紙容器の断面図である。
【図５】図３の紙容器の底面図である。
【図６】本発明による紙容器のもう１つの実施形態の斜視図である。
【図７】図６の６−６線に沿って切断した紙容器の断面図である。
【図８】本発明による紙容器のもう１つの実施形態の斜視図である。
【図９】図８の９−９線に沿って切断した紙容器の断面図である。
【図１０】本発明による紙容器のもう１つの実施形態の斜視図である。
【符号の説明】
【００２３】
１０  容器
１２  側壁部
１４  底壁部
１６  リム
１８  刻印パターン、識別マーク、エンボスマーク
【図１】
2006044799.tif 000003
【図２】
2006044799.tif 000004
【図３】
2006044799.tif 000005
【図４】
2006044799.tif 000006
【図５】
2006044799.tif 000007
【図６】
2006044799.tif 000008
【図７】
2006044799.tif 000009
【図８】
2006044799.tif 000010
【図９】
2006044799.tif 000011
【図１０】
2006044799.tif 000012